(57)【要約】【課題】放射能汚染土壌の中間貯蔵施設や最終処分場の厳しい現状を踏まえ、放射能で汚染した土壌を安全・確実かつ迅速に処理する方法を提案すること。【解決手段】上部が開口しているコンクリート製箱の底部に、前記コンクリート製箱の前記開口部を閉塞可能で、かつ前記開口部に挿入可能な位置決めのための突起物を有するコンクリート製箱に放射能汚染土壌を収納し、炭鉱や鉱山または大谷石採掘坑道等に万遍なく積み重ねる上部が開口しているコンクリート製箱の底部に、前記コンクリート製箱の前記開口部を閉塞可能で、かつ前記開口部に挿入可能な位置決めのための突起物を有するコンクリート製箱に放射能汚染土壌を収納し、炭鉱や鉱山または大谷石採掘坑道等に万遍なく積み重ねる。【選択図】図３
2014174157.tif 000002
【特許請求の範囲】
【請求項１】
上部が開口しているコンクリート製箱と、前記コンクリート製箱の前記開口部を塞ぐためのコンクリート製蓋で構成する容器に、放射能汚染した表土を削り取って得た放射能汚染土壌を収納し、炭鉱や鉱山または大谷石採掘坑道等に万遍なく積み重ねることによって、放射能で汚染した土壌が外部漏洩することなく安全に永久保管するとともに、前記坑道の崩落や落盤事故から前記坑道周辺の地域住民の生命や財産を保全することを特徴とする放射能汚染土壌の処理方法。
【請求項２】
上部が開口しているコンクリート製箱の底部に、前記コンクリート製箱の前記開口部を閉塞可能で、かつ前記開口部に挿入可能な位置決めのための突起物を有するコンクリート製箱に放射能汚染土壌を収納し、炭鉱や鉱山または大谷石採掘坑道等に万遍なく積み重ねることによって、放射能で汚染した土壌が外部漏洩することなく安全に永久保管するとともに、前記坑道の崩落や落盤事故から前記坑道周辺の地域住民の生命や財産を保全することを特徴とする請求項１に記載の放射能汚染土壌の処理方法。
【請求項３】
前記箱が金属またはプラスチックス製であることを特徴とする請求項１または２に記載の放射能汚染土壌の処理方法。
【発明の詳細な説明】
【技術分野】
【０００１】  本発明は、３．１１東日本大震災に伴う東京電力・福島第一原子力発電所放射能漏れ事故により、放射能で汚染した表土の処理方法に関するものである。
【背景技術】
【０００２】  特許庁電子図書館にアクセスして「放射能汚染」、「表土」、「処理方法」のキーワードで検索した結果、ヒット件数は０であった。従って、以下は農林水産省から提案された放射能で汚染した表土の処理方法並びに除染の現状について意見を述べるものとする。【０００３】  農水省の除洗計画によれば第一に「基本的な表土削り取り」方法をあげているが、この方法は広大な汚染地域の表土を削り取って中間貯蔵施設に仮置きし、最終処分場で永久保管するというものであるが、報道でも分かるように福島原発周辺地域での中間貯蔵施設建設も止むなしと地域住民の意向が傾いてきている程度で、最終処分場に至ってはその候補地すら目処が立っていない厳しい現状にある。
【発明の開示】
【発明が解決しようとする課題】
【０００４】本発明が解決しようとする課題は、上述の放射能汚染土壌の中間貯蔵施設や最終処分場の厳しい現状を踏まえ、放射能で汚染した土壌を安全・確実かつ迅速に処理する方法を提案することにある。
【課題を解決するための手段】
【０００５】本発明の課題解決手段について説明する。
請求項１の発明においては、上部が開口しているコンクリート製箱と、前記コンクリート製箱の前記開口部を塞ぐためのコンクリート製蓋で構成する容器に、放射能汚染した表土を削り取って得た放射能汚染土壌を収納し、炭鉱や鉱山または大谷石採掘坑道等に万遍なく積み重ねることによって、放射能で汚染した土壌が外部漏洩することなく安全に永久保管するとともに、前記坑道の崩落や落盤事故から前記坑道周辺の地域住民の生命や財産を保全する放射能汚染土壌の処理方法であることを特徴とする。【０００６】請求項２の発明においては、上部が開口しているコンクリート製箱の底部に、前記コンクリート製箱の前記開口部を閉塞可能で、かつ前記開口部に挿入可能な位置決めのための突起物を有するコンクリート製箱に放射能汚染土壌を収納し、炭鉱や鉱山または大谷石採掘坑道等に万遍なく積み重ねる上部が開口しているコンクリート製箱の底部に、前記コンクリート製箱の前記開口部を閉塞可能で、かつ前記開口部に挿入可能な位置決めのための突起物を有するコンクリート製箱に放射能汚染土壌を収納し、炭鉱や鉱山または大谷石採掘坑道等に万遍なく積み重ねるこ請求項１に記載の放射能汚染土壌の処理方法であることを特徴とする。【０００７】請求項３の発明に於いては、前記箱が金属またはプラスチックス製である請求項１または２に記載の放射能汚染土壌の処理方法であることを特徴とする。
【発明の効果】
【０００８】これまでの放射能で汚染した土壌の取扱に於いては、先ず中間貯蔵施設で仮置きし、次いで最終処分場を建設して永久保管するという順序次第であるが、報道でも分かるように県庁所在地である福島市などでは削り取った表土の行き場がなく、そのまま自宅で保管している有様である。一方、栃木県真岡市の大谷石採掘坑道ではこれまで数十年間にわたり坑道直上の地盤陥没や崩落事故が後を絶たず、たくさんの尊い人命と財産が失われてきた経緯かある。このような坑道を安全化するには１０年ほど前のＮＨＫテレビでも取り上げていたが、当時の価格で５００億円もの多額の費用がかかるため何ら問題解決されていない現状にある。このような事情を鑑みると、本発明の提案を採用すれば両者の問題が解決でき一石二鳥の効果が期待できるのである。【０００９】本発明を実施した時の地域環境の安全性については、放射能汚染土壌の上に数センチ覆土すれば放射能の影響が激減するとの研究結果が示されているので、前述の坑道に放射能汚染した土壌の入ったコンクリート製箱を積み重ねた場合には、坑道直上の地盤厚さが数メートルあるため何ら危険性はないはずである。
【発明を実施するための最良の形態】
【００１０】発明を実施するための最良の形態について説明する。
［図１］に本発明の実施例の具体的態様の正面図を
［図２］に本発明の実施例の具体的態様の側面図を
［図３］に本発明の他の実施例の具体的態様の正面図を
［図４］に本発明の他の実施例の具体的態様の側面図を
それぞれ示す。
【実施例】
【００１１】本発明の実施例の具体的態様を［図１］及び［図２］に基づいて説明する。
本発明の実施例では、上部が開口しているコンクリート製箱（１）と、前記コンクリート製箱（２）の前記開口部（２）を塞ぐためのコンクリート製蓋（６）で構成する容器に、放射能汚染した表土を削り取って得た放射能汚染土壌を収納し、炭鉱や鉱山または大谷石採掘坑道等に万遍なく積み重ねることができるように為した。【００１２】本発明の他の実施例の具体的態様を［図３］及び［図４］に基づいて説明する。
本発明の他の実施例では、上部が開口しているコンクリート製箱（１）の底部（４）に、前記コンクリート製箱（１）の前記開口部（２）を閉塞可能で、かつ前記開口部（２）に挿入可能な位置決めのための突起物（５）を有するコンクリート製箱に放射能汚染土壌を収納し、炭鉱や鉱山または大谷石採掘坑道等に万遍なく積み重ね、最上段の箱にのみ前記コンクリート製蓋（６）を被せるようにした。【００１３】このようにすると前記コンクリート製箱１個毎に前記コンクリート製蓋１枚を被せる必要がなくなりコンクリート製箱同士の位置決めが確実にでき、かつ、コスト縮減効果があるばかりか坑道内に積み重ねる時の容積効率も高くなり一石三鳥の効果が期待できる。
【産業上の利用可能性】
【００１４】これまでは、本発明のような提案は為されておらず、放射能で汚染した土壌の取扱に於いては、先ず中間貯蔵施設で仮置きし、次いで最終処分場を建設して永久保管するという順序次第であるが、報道でも分かるように県庁所在地である福島市などでは削り取った表土の行き場がなく、そのまま自宅で保管している有様である。一方、栃木県真岡市の大谷石採掘坑道ではこれまで数十年間にわたり坑道直上の地盤陥没や崩落事故が後を絶たず、たくさんの尊い人命と財産が失われてきた経緯かある。このような坑道を安全化するには１０年ほど前のＮＨＫテレビでも取り上げていたが、当時の価格で５００億円もの多額の費用がかかるため何ら問題解決されていない現状にある。このような事情を鑑みると、本発明の提案を採用すれば両者の問題が解決でき一石二鳥の効果が期待できるのである。
【図面の簡単な説明】
【００１５】
【図１】に本発明の実施例の具体的態様の正面図を
【図２】に本発明の実施例の具体的態様の側面図を
【図３】に本発明の他の実施例の具体的態様の正面図を
【図４】に本発明の他の実施例の具体的態様の側面図を  をそれぞれ示す。
【符号の説明】
【００１６】１  コンクリート製箱
２  コンクリート製箱開口部
３  コンクリート製箱側部
４  コンクリート製箱底部
５  突起物
６  コンクリート製蓋
７  突起物
【図１】
2014174157.tif 000003
【図２】
2014174157.tif 000004
【図３】
2014174157.tif 000005
【図４】
2014174157.tif 000006